(57)【要約】【課題】粉体を排出口から受容器へ充填する際に、低費用で排出口や受容器周辺に粉塵を浮遊及び付着させずにロスなく粉体を充填することが出来、かつプラスチック袋開口部上部の粉体付着を防止することで、製品を充填したプラスチック袋を容易に失敗なくヒートシールにより密閉することを可能とする粉塵防除充填装置を提供することにある。【解決手段】粉体の排出口ｈに、外周面の上部にヒートシールエリアｃとその下部に複数の孔ｂを有し、その孔が吸引口ｅを吸引することにより、負圧になる粉塵防除フードａとその孔に負圧により密着する粉体受容器としてのプラスチック袋ｄからなることを特徴とする粉塵防除充填装置を提供する。【選択図】図４
0003166848.tif 000002
【実用新案登録請求の範囲】
【請求項１】
粉体の排出口に設けられ、外周面上部にヒートシールエリアと下部に複数の孔を有し、その孔が減圧により負圧になる粉塵防除フードを備え、充填時には粉体を受容するプラスチック袋をヒートシールエリア及び孔を覆うように装着し、さらにプラスチック袋が孔に負圧により密着することを特徴とする粉塵防除充填装置。
【考案の詳細な説明】
【技術分野】
【０００１】
本案は、粉体充填時に粉塵を排出口や粉体を受容するプラスチック袋の周辺に浮遊及び付着する事なく充填を行い、充填後、容易に失敗なくプラスチック袋をヒートシールにより密閉することが出来る粉塵防除充填装置に関するものである。
【背景技術】
【０００２】
従来の粉体充填時の粉塵防除の方法としては、排出口にフードやホッパーを取り付ける方法や更にフードやホッパー自身に吸塵の為の減圧管を設けて出来るだけフードやホッパー内に粉塵を集め、粉塵を周囲に浮遊させないような方法があった。又、ホッパー内に滞留したり、ホッパー自身に付着した粉塵をエアーにより強制的に下方に叩き落す粉塵防除装置（特許文献１）も提案されている。
【０００３】
ところが、いずれの方法においてもフードやホッパーと受容器の間の空隙を通して漏れ出る粉塵の浮遊を完全に防ぐ事が出来なかった。その為に、粉体の充填時には粉塵による眼・鼻・口・皮膚への暴露を防ぐ為に場合によっては、大掛かりな防護服や集塵装置を必要としたり、充填後にはフードやホッパーや受容器とその周辺に付着した粉塵を除去する為に非常に手間のかかる清掃が避けられなかった。加えて浮遊や付着した粉塵は製品のロスになる為に経済的な損失も無視できなかった。
【０００４】
これらの問題を解決する為、本発明の出願人らは粉体の排出口に、外周面に複数の孔を有し、その孔を吸引口を通じ吸引することにより負圧になる粉塵防除フードとその孔に負圧により密着する粉体受容体としてのプラスチック袋から構成されることを特徴とする粉塵防除充填装置を提案した。（特許文献２）
【０００５】
しかし、特許文献２の方法によると、プラスチック袋内部の、負圧により密着していた上部一帯に粉体が付着し、充填後にこの袋の開口部上部にそのまま熱をかけてプラスチック同士を貼り合わせて熱融着させ、密閉する方法である、いわゆるヒートシールにより密閉しようとした場合、これらの粉体を除去してからヒートシールを実施する必要があり、この粉体の除去が非常に煩雑であった。また、粉体を完全に取り除く事は難しく、少量の付着物のある状態でヒートシールを行った場合にそこだけが熱融着されずに、密閉不良の原因ともなった。さらに粉体が帯電し易い性質を持つ場合、プラスチック袋との間に発生する静電気により除去が困難であり、ヒートシールにより密閉することが出来ないという問題が発生することがあった。
【特許文献１】実登３１３０１７４号公報
【特許文献２】実登３１５１０１９号公報
【考案の開示】
【考案が解決しようとする課題】
【０００６】
この考案が解決しようとする課題は、粉体を排出口から受容器へ充填する際に、低費用で排出口や受容器周辺に粉塵を浮遊及び付着させずにロスなく粉体を充填することが出来、かつプラスチック袋開口部上部の粉体付着を防止することで、製品を充填したプラスチック袋を容易に失敗なくヒートシールにより密閉することを可能とする粉塵防除充填装置を提供することにある。
【課題を解決するための手段】
【０００７】
本考案は上記課題を解決するものであって、粉体の排出口ｈに、外周面の上部にヒートシールエリアｃとその下部に複数の孔ｂを有し、その孔が吸引口ｅを吸引することにより、負圧になる粉塵防除フードａとその孔に負圧により密着する粉体受容器としてのプラスチック袋ｄからなることを特徴とする粉塵防除充填装置である。
【０００８】
本考案における粉塵防除フードａは、外周面の上部にヒートシールエリアｃとその下部に複数の孔ｂを有し、粉塵防除フードａ内及び粉体受容器としてのプラスチック袋ｄ内を減圧可能とするものであればよい。
【０００９】
本考案における孔ｂは、粉塵防除フードａの外周面のうち下部に複数設けられ、フード内を吸引した際に負圧によりプラスチック袋ｄの開放部のうち上方部を外周面に密着させることができれば、設ける位置や孔の大きさは特に限定されない。
【００１０】
本考案におけるヒートシールエリアｃは、粉塵防除フードａの外周面に設けられ、プラスチック袋をヒートシールするために必要な幅を有していればよい。また、ヒートシールエリアｃの材質は特に限定されないが、静電気による粉体の付着を防止する為、導電性の材質が好ましく、さらにアース等が取り付け可能であり、これにより除電可能な構造であればより好ましい。
【００１１】
本考案における粉体受容器としてのプラスチック袋ｄは、防除フードａの外周面に複数設けられた孔ｂに負圧により密着させることができれば、その材質、形および色について特に限定されない。また粉体受容器としてのプラスチック袋ｄは、通常、充填用容器ｆに内装されており、充填後、ヒートシールにより密閉し出荷できる状態となる。
【考案の効果】
【００１２】
上記の粉塵防除充填装置を用いる事によって、粉体を粉塵防除フード排出口ｉからプラスチック袋へ充填することにより、低費用で排出口や粉体受容器周辺に粉塵を浮遊及び付着せずにロスなく粉体を充填することが出来る。さらに、プラスチック袋上部の粉体付着が防止できるので、そのままプラスチック袋をヒートシールにより密閉することが出来る。
【考案を実施するための最良の形態】
【００１３】
本考案の粉塵防除充填装置は、粉体の排出口ｈに設けられた粉塵防除フード内を負圧とすることにより、粉塵防除フードａの外周面に設けられた孔ｂに粉体受容器としてのプラスチック袋ｄの内部および開口部上部周辺の粉塵を防除する。さらに、ヒートシールエリアｃを設けることにより、プラスチック袋上部の粉体付着が防止できるので、そのままプラスチック袋をヒートシールにより密閉することが出来る。
【図面の簡単な説明】
【００１４】
【図１】本考案の粉塵防除充填装置における粉塵防除フードの具体的一実施例の正面図である。
【図２】本考案の粉塵防除充填装置における粉塵防除フードの具体的一実施例の上面図である。
【図３】図２のＡ−Ａ’断面図である。
【図４】本考案の粉塵防除充填装置を充填口に設置した場合の具体的一実施例の正面図である。
【実施例】
【００１５】
以下、添付図に従って、一実施例を説明する。本考案に係る粉塵防除充填装置は、図４に示す通り取り付けられる。  図４において粉塵防除フードａは排出口ｈに設けられ、粉体受容器としてのプラスチック袋ｄの開口部の先端が粉塵防除フードａの外周面に設けられた孔ｂ及びヒートシールエリアｃを覆うようにセットされる。
使用時には、吸引口ｅを吸引することにより、プラスチック袋ｄと粉塵防除フードａの外周面に設けられた孔ｂは密着され、粉塵防除フードａの下方にある粉塵防除フード排出口ｈと粉体受容器としてのプラスチック袋ｄとの空間が負圧になり、プラスチック袋ｄの内部および開口部上部周辺の粉塵を防除する。さらに、ヒートシールエリアｃの存在により、粉塵防除フードａに覆うようにセットされたプラスチック袋ｄの開口部上端には粉体の付着がなく、充填終了後、プラスチック袋ｄの上部をそのままヒートシール加工することによりプラスチック袋ｄを密閉することが可能となる。
【符号の説明】
【００１６】
ａ：粉塵防除フード
ｂ：孔
ｃ：ヒートシールエリア
ｄ：プラスチック袋
ｅ：吸引口
ｆ：充填用容器
ｇ：充填物
ｈ：排出口
ｉ：粉塵防除フード排出口
【図１】
0003166848.tif 000003
【図２】
0003166848.tif 000004
【図３】
0003166848.tif 000005
【図４】
0003166848.tif 000006